(57)【特許請求の範囲】
【請求項１】
光軸方向の後方に位置するベースと、前記ベースに固定され光軸方向に伸長するガイド部材と、前記ガイド部材により光軸方向に往復動自在に案内されかつレンズを保持するレンズ保持部材とを備え、レンズを光軸方向に移動させて合焦点動作を行なうレンズ駆動装置であって、
前記レンズ保持部材は、光軸方向の前方側からレンズの挿入を許容する筒状部材と、前記筒状部材に挿入されたレンズを押圧して保持するべく着脱自在に配置された保持部材と、露光用の開口部を開閉するレンズシャッタ機構を収容するべく光軸方向の前後に隣接する前方板及び後方板を有し、
前記筒状部材は、レンズを保持する筒状部及び前記筒状部と一体的に形成され前記後方板に連結されるフランジ部を有し、
前記保持部材は、前記後方板と前記フランジ部との間に配置されている、
ことを特徴とするレンズ駆動装置。
【請求項２】
光軸方向の後方に位置するベースと、前記ベースに固定され光軸方向に伸長するガイド部材と、前記ガイド部材により光軸方向に往復動自在に案内されかつレンズを保持するレンズ保持部材とを備え、レンズを光軸方向に移動させて合焦点動作を行なうレンズ駆動装置であって、
前記レンズ保持部材は、光軸方向の前方側からレンズの挿入を許容する筒状部材と、前記筒状部材に挿入されたレンズを押圧して保持するべく着脱自在に配置された保持部材と、光軸方向において前記前方板の前方に配置されかつ光軸方向の後方側からレンズの挿入を許容する第２の筒状部材を有し、
前記第２の筒状部材は、レンズを保持する第２筒状部及び前記第２筒状部と一体的に形成され前記前方板に連結される第２フランジ部を有し、
前記前方板は、前記第２筒状部に挿入されたレンズを押圧して保持する保持部材を兼ねる、
ことを特徴とするレンズ駆動装置。
【請求項３】
前記筒状部材、前方板、及び後方板は、着脱自在な共通の締結手段を介して一体的に固定されている、
ことを特徴とする請求項２に記載のレンズ駆動装置。
【請求項４】
前記保持部材は、レンズに対して常時押圧力を及ぼすように、弾性的に変形可能である、
ことを特徴とする請求項１ないし３いずれかに記載のレンズ駆動装置。
【発明の詳細な説明】
【０００１】
【発明の属する技術分野】
本発明は、光軸方向にレンズを移動させて合焦点動作を行なうレンズ駆動装置に関し、特に、レンズを保持するレンズ保持部材の後方近傍に撮像素子等が配置されるレンズ駆動装置に関する。
【０００２】
【従来の技術】
デジタルカメラ等に搭載されるレンズ駆動装置としては、図８に示すように、水晶フィルタ１ａ、フェースプレート１ｂ、撮像素子としてのＣＣＤ１ｃ、回路基板１ｄ等を保持するベース２、カムリング３、光軸方向に伸長するガイド軸４、レンズＧ１〜Ｇ５を保持しガイド軸４により往復自在に案内されるレンズ保持部材５、レンズ保持部材５のフォロワピン５ａをカムリング３に押し付ける引っ張りバネ６、全体を覆うカバー７等により構成されたものが知られている。
この装置では、カムリング３が回動することで、光軸方向におけるフォロワピン５ａのリフト量が変化し、レンズ保持部材５がガイド軸４に沿って往復動させられて、ＣＣＤ１ｃに対して焦点合わせ動作を行なうものである。
【０００３】
また、レンズ保持部材５には、前方筒状部５ａと後方筒状部５ｂとが形成されている。そして、レンズＧ１，Ｇ２は、前方筒状部５ａに挿入された状態で、その前方側から固定リング５ｃが螺合等により結合され固定されている。
一方、レンズＧ３，Ｇ４，Ｇ５は、光軸方向の後方側から後方筒状部５ｂに挿入された後、レンズＧ５の外周領域に充填された接着剤８及び接着板９により固定されている。
【０００４】
【発明が解決しようとする課題】
ところで、レンズＧ１〜Ｇ５の組み付け後において、組み付け精度が悪く光軸のずれ等がある場合は、組み直しが必要になる。しかしながら、特に後方筒状部５ｂにおいては接着剤８を用いているため、その分解に際しレンズＧ５もしくは後方筒状部５ｂを破損することになる。
一方、後方筒状部５ｂの端部５ｂ´とベース２の前面２ａとの間隔は狭いため、前方筒状部５ｂと同様の固定リング５ｃを、後方筒状部５ｂに適用することは困難である。
【０００５】
本発明は、上記の点に鑑みて成されたものであり、その目的とするところは、簡略な構造にして、部品を破損せずに容易に組み直しが行なえ、又、部品の共用化等による部品点数の削減、低コスト化等が図れるレンズ駆動装置を提供することにある。
【０００６】
【課題を解決するための手段】
本発明のレンズ駆動装置は、光軸方向の後方に位置するベースと、ベースに固定され光軸方向に伸長するガイド部材と、ガイド部材により光軸方向に往復動自在に案内されかつレンズを保持するレンズ保持部材とを備え、レンズを光軸方向に移動させて合焦点動作を行なうレンズ駆動装置であって、上記レンズ保持部材は、光軸方向の前方側からレンズの挿入を許容する筒状部材と、筒状部材に挿入されたレンズを押圧して保持するべく着脱自在に配置された保持部材と、露光用の開口部を開閉するレンズシャッタ機構を収容するべく光軸方向の前後に隣接する前方板及び後方板を有し、筒状部材は、レンズを保持する筒状部及び筒状部と一体的に形成され後方板に連結されるフランジ部を有し、保持部材は、後方板とフランジ部との間に配置されている、ことを特徴としている。
この構成によれば、筒状部材に対して光軸方向の前方側からレンズが挿入された後、筒状部材の前方側から保持部材が取り付けられて、レンズが押圧され筒状部材の内部に固定される。したがって、組み付け不良の場合は、保持部材を外すことで、部品を破損することなく容易にレンズを組み直すことができる。また、保持部材は筒状部材の後方ではなく前方に配置されるため、スペース等の制約を受けることもない。
特に、保持部材は、後方板と筒状部材のフランジ部との間に配置されるため、例えばいずれかの端面に凹部を形成することで、特に配置のための専用スペースを必要とせず、小型化が行なえる。
【０００９】
また、本発明のレンズ駆動装置は、光軸方向の後方に位置するベースと、ベースに固定され光軸方向に伸長するガイド部材と、ガイド部材により光軸方向に往復動自在に案内されかつレンズを保持するレンズ保持部材とを備え、レンズを光軸方向に移動させて合焦点動作を行なうレンズ駆動装置であって、上記レンズ保持部材は、光軸方向の前方側からレンズの挿入を許容する筒状部材と、筒状部材に挿入されたレンズを押圧して保持するべく着脱自在に配置された保持部材と、光軸方向において前方板の前方に配置されかつ光軸方向の後方側からレンズの挿入を許容する第２の筒状部材を有し、第２の筒状部材は、レンズを保持する第２筒状部及び第２筒状部と一体的に形成され前方板に連結される第２フランジ部を有し、前方板は、第２筒状部に挿入されたレンズを押圧して保持する保持部材を兼ねる、ことを特徴としている。
この構成によれば、第２筒状部にレンズが挿入された後、レンズシャッタ機構を形成する前方板と第２フランジ部とを連結することにより、前方板が保持部材として機能し、レンズが押圧されて第２筒状部の内部に固定される。すなわち、前方板が保持部材としての機能を兼ねるため、固定リングのような別個の保持部材が不要になり、部品点数を削減できる。
【００１０】
上記構成において、筒状部材、後方板、及び前方板、あるいは、筒状部材、後方板、前方板、及び第２の筒状部材は、着脱自在な共通の締結手段を介して一体的に固定されている、構成を採用できる。
この構成によれば、着脱自在な共通の締結手段（例えば、ボルト、ネジ等）により一体的に結合されるため、隣接するもの同士をそれぞれ結合する場合に比べて、締結手段の個数を減じることができ、又、筒状部材と後方板あるいは第２の筒状部材と前方板の仮止め等を予め行なうことで、相互の位置（光軸）合わせをより高精度に行なえる。
【００１１】
上記構成において、保持部材は、レンズに対して常時押圧力を及ぼすように、弾性的に変形可能である、構成を採用できる。
この構成によれば、保持部材が弾性力を生じることで、単にレンズを所定の範囲に規制するだけではなく常に押圧力を及ぼすため、レンズは外部からの衝撃等に対してもずれることなく確実に保持される。
【００１２】
【発明の実施の形態】
以下、本発明の実施の形態について、添付図面を参照しつつ説明する。
図１ないし図４は、本発明に係るレンズ駆動装置の一実施形態を示すものであり、図１は概略構成を示す断面図、図２はレンズシャッタ機構を示す断面図、図３は詳細を示す断面図、図４はレンズを押圧して保持する保持部材を示す平面図である。
【００１３】
このレンズ駆動装置は、図１ないし図３に示すように、装置を組み付ける際の基準となるベース１０、ベース１０に回動自在に配置されたカムリング２０、ベース１０に一端が植設され光軸方向に伸長するガイド部材としてのガイド軸３０、複数のレンズＧ１〜Ｇ５及びレンズシャッタ機構４０を保持するレンズ保持部材５０、レンズ保持部材５０をカムリング２０に向けて付勢する圧縮バネ６０、全体を覆うカバー７０等を、その基本構成として備えている。
【００１４】
ベース１０は、図３に示すように、中央部に露光用の開口部１１を有し、その背後において水晶フィルタ１２、フェースプレート１３、撮像素子としてのＣＣＤ１４、回路基板１５等を保持している。また、前面側でかつ開口部１１の径方向外側には凸状リング部１６を有し、その外周面１６ａがカムリング２０のラジアル軸受として機能し、その前端面１６ｂがカムリング２０のスラスト軸受として機能するようになっている。さらに、最外周部にはカバー７０を固定するための外周段差部１７が形成されている。
【００１５】
カムリング２０は、図１及び図３に示すように、歯車部２１、環状のカム部２２、中央部に形成された開口部２３、背面側に形成された円柱状の凹部２４等により構成されている。そして、凹部２４がベース１０の凸状リング部１６に外嵌されて回動自在に支持されている。カム部２２には、光軸方向において端面カムの作用をなすカム面２２ａが形成され、レンズ保持部材５０から後方に突出するフォロワピン５３ｃが前方側から当接している。尚、カムリング２０は、モータ２５、ピニオン２６を介して回動させられる。
【００１６】
レンズ保持部材５０は、図１ないし図３に示すように、後方板としての地板５１、光軸方向Ｌにおいて地板５１の前方に隣接して配置される前方板としての押え板５２、地板５１よりも光軸方向の後方に配置される筒状部材５３、地板５１と筒状部材５３との間に配置される保持部材５４等により構成されている。
【００１７】
地板５１は、中央部に露光用の開口部５１ａを有し、筒状部材５３及び押え板５２に挟持されて固定されるようになっている。押え板５２は、中央部に露光用の開口部５２ａを有し、その前面から前方に向かって突出する筒状部５２ｂを有している。そして、筒状部５２ｂの内部には、レンズＧ２、スペーサ５２ｃ、レンズＧ１が順次に挿入され、前方側から固定リング５２ｄが螺合等により結合されて、レンズＧ１，Ｇ２を保持している。また、押え板５２には、その前面から突出する突起５２ｅが形成され、圧縮バネ６０を位置決めして保持するようになっている。
【００１８】
地板部５１及び押え板５２の間には、図２に示すように、レンズシャッタ機構４０を構成するシャッタ羽根４１，４２及び絞り羽根４３が揺動自在に取り付けられており、地板部５１の背面には、図１及び図２に示すように、駆動ピン４４ａを有するムービングマグネット型のモータ４４が取り付けられている。そして、モータ４４の駆動により、シャッタ羽根４１，４２が開口部５１ａを開閉し、又、絞り羽根４３が開口部５１ａを所定の口径に絞るようになっている。
【００１９】
筒状部材５３は、図１及び図３に示すように、地板５１に連結される板状のフランジ部５３ａ、フランジ部５３ａから後方に向かって突出する筒状部５３ｂ、フランジ部５３ａの背面からカムリング２０に向かって突出するフォロワピン５３ｃ、フランジ部５３ａに一体的に形成されガイド軸３０に連結される円筒連結部５３ｄ及びＵ字連結部５３ｅ（図４参照）等により構成されている。
【００２０】
筒状部５３ｂは、図３に示すように、光軸方向Ｌの前方側からレンズＧ３〜Ｇ５の挿入を許容するように形成されており、光軸方向Ｌの後方側には開口部５３ｂ´´をもつ後端壁５３ｂ´が形成されている。
したがって、筒状部５３ｂには、光軸方向Ｌの前方側からレンズＧ５、スペーサ５５、レンズＧ４、及びレンズＧ３が順次に挿入された後、レンズＧ３を押し付けるように保持部材５４が取り付けられる。
【００２１】
保持部材５４は、図４に示すように、弾性変形可能な樹脂材料あるいは金属板等により円板状に形成されており、その中央部には開口部５４ａが形成されている。そして、その外周領域の３箇所が、ネジ５６を用いてフランジ部５３ａに締結されている。尚、締結を行なう手段としては、ネジ５６に限らず、着脱自在に締結できるものであればその他の手段でもよい。
【００２２】
保持部材５４の取り付けに際しては、図５（ａ）に示すように、取り付けた状態で、開口部５４ａの周辺領域が若干前方側（矢印Ｆ方向）に弾性変形するように、フランジ部５３ａの前面からレンズＧ３の前面が若干突出するように設定される。これにより、レンズＧ３〜Ｇ５は単に筒状部５３ｂの内部から脱落しないよに規制されるだけではなく、保持部材５４の弾性復帰力により、レンズＧ３〜Ｇ５は常時押圧されるため、外部からの衝撃等に対しても光軸のずれを防止できる。
【００２３】
また、図５（ｂ）に示すように、保持部材５４は、その開口部５４ａの周辺領域５４ａ´が、二点鎖線で示すように予め後方（矢印Ｒ方向）へ突出するように変形した状態に形成されてもよい。そして、フランジ部５３ａの前面とレンズＧ３の前面とが面一に設定された状態で、保持部材５４を取り付けると、開口部５４ａの周辺領域５４ａ´がレンズＧ３の前面により前方側へ押し戻されて、弾性変形を生じた状態となる。したがって、保持部材５４の弾性復帰力により、レンズＧ３〜Ｇ５は常時押圧されるため、外部からの衝撃等に対しても光軸のずれを防止できる。
【００２４】
カバー７０には、図１及び図３に示すように、レンズＧ１を露出させる開口部７１、内壁面から光軸方向後方に向けて突出して圧縮バネ６０を位置決めする突起７２、ベース１０の外周段差部１７に連結される後端部７３等が形成されている。そして、後端部７３がベース１０に連結された状態で、装置全体を覆うようになっている。
【００２５】
圧縮バネ６０は、図１及び図３に示すように、押え板５２の突起５２ｅとカバー７０の突起７２との間に配置されて、位置決めされつつ圧縮された状態で保持されている。そして、そのバネ力が、光軸方向Ｌの前方側から、フォロワピン５３ｃとカムリング２０のカム面２２ａとが接触する領域に作用して、両者を常時接触させている。これにより、円筒連結部５３ｄがガイド軸３０に対して傾斜することなくスムーズな移動が可能となる。
【００２６】
次に、上記レンズ保持部材５０の組み付け手順について説明する。先ず、筒状部材５３の筒状部５３ｂに対して、レンズＧ５、スペーサ５５、レンズＧ４、レンズＧ３が順次に挿入され、その後、保持部材５４がフランジ部５３ａに対してネジ５６により締結されて、レンズＧ３〜Ｇ５が固定される。この時点で光軸のずれを確認できれば、保持部材５４を取り外して、レンズＧ３〜Ｇ５を再度組み直すことができる。
【００２７】
続いて、レンズＧ１，Ｇ２が組み込まれた押え板５２と、レンズシャッタ機構４０が組み込まれた地板５１とが筒状部材５３のフランジ部５３ａに重ね合わせられて、締結手段としてのネジ５７により一体的に結合される。このように、押え板５２から筒状部材５３までが共通のネジ５７により締結されるため、相互に締結される場合に比べて締結部品を減じることができる。また、この時点で、レンズＧ１〜Ｇ５までのうちで光軸のずれが確認された場合は、ネジ５７を取り外して再度組み直すことができる。
【００２８】
上記装置の動作について簡単に説明すると、モータ２５が回動すると、ピニオン２６を介してカムリング２０が回動し、カム面２２ａがフォロワ−ピン５３ｃに対してカム作用を生じ、レンズ保持部材５０はガイド軸３０に案内されて、光軸方向Ｌの所望の位置に前進移動あるいは後退移動させられて、ＣＣＤ１４に対する焦点合わせ（合焦点動作）が行なわれる。
【００２９】
図６は、レンズ駆動装置の他の実施形態を示すものである。この実施形態は、レンズ保持部材５０の一部を変更したものであり、したがって、前述の実施形態と同一の構成については同一の符号を付してその説明を省略する。
この実施形態におけるレンズ保持部材５０´は、図６に示すように、前述の保持部材５４を削除して、地板５１´を保持部材として兼用したものである。すなわち、地板５１´には、中央部に露光用の開口部５１ａ´が形成され、開口部５１ａ´を画定する周辺領域には、光軸方向Ｌの特に後方に向かって環状に突出する環状凸部５１ｂ´が形成されている。
【００３０】
また、筒状部材５３´の筒状部５３ｂ内にレンズＧ３，Ｇ４、スペーサ５５、レンズＧ５が挿入された状態で、フランジ部５３ａ´の前面は、レンズＧ３の前面よりも若干前方に突出するように形成されている。そして、レンズＧ３〜Ｇ５が筒状部５３ｂに挿入された後、地板５１´がフランジ部５３ａ´に重ね合わせて押し付けられると、環状凸部５１ｂ´の領域が弾性的に若干変形つつ、レンズＧ３を押圧するように、あるいは、弾性変形はしないもののレンズＧ３を押し付けるようになっている。
これにより、レンズＧ３〜Ｇ５は単に筒状部５３ｂの内部から脱落しないよに規制されるだけではなく、保持部材として機能する地板５１´（環状凸部５１ｂ´）の弾性力により、レンズＧ３〜Ｇ５は常時押圧されるため、外部からの衝撃等に対しても光軸のずれを防止できる。
【００３１】
次に、上記レンズ保持部材５０´の組み付け手順について説明する。先ず、筒状部材５３の筒状部５３ｂに対して、レンズＧ５、スペーサ５５、レンズＧ４、レンズＧ３が順次に挿入され、その後、レンズシャッタ機構４０が組み込まれた地板５１´がフランジ部５３ａ´に重ね合わせられて、両者の外周部が仮止めされる。このとき、レンズＧ３〜Ｇ５は、地板５１´（環状凸部５１ｂ´）により押圧されて固定された状態にある。
【００３２】
続いて、レンズＧ１，Ｇ２が組み込まれた押え板５２が、地板５１´に重ね合わせられて、押え板５２、地板５１´、筒状部材５３´（フランジ部５３ａ´）がネジ５７により一体的に結合され、その後、仮止めが外される。このように、押え板５２から筒状部材５３´までが共通のネジ５７により締結されるため、相互に締結する場合に比べて締結部品を減じることができる。また、この時点で、レンズＧ１〜Ｇ５までのうちで光軸のずれが確認された場合は、ネジ５７を取り外して再度組み直すことができる。
【００３３】
図７は、レンズ駆動装置のさらに他の実施形態を示すものである。この実施形態は、図６に示すレンズ保持部材５０´の一部を変更したものであり、したがって、図６に示す実施形態と同一の構成については同一の符号を付してその説明を省略する。この実施形態におけるレンズ保持部材５０´´は、図７に示すように、筒状部５２ｂが一体的に形成された押え板５２に替えて、別個に独立して形成された押え板５２´と、第２の筒状部材５８とを採用したものである。
【００３４】
押え板５２´には、中央部に露光用の開口部５２ａ´が形成され、開口部５２ａ´を画定する周辺領域には、光軸方向Ｌの前方に向かって突出する環状凸部５２ｂ´が形成されている。
【００３５】
第２の筒状部材５８は、図７に示すように、押え板５２´に連結される板状の第２フランジ部５８ａ、第２フランジ部５８ａから前方に向かって突出する第２筒状部５８ｂ、第２筒状部５８ｂの先端内周面に形成されてレンズの位置決めを行なう環状ストッパ５８ｃ、第２フランジ部５８ａの前面から突出して形成され圧縮バネ６０の位置決めを行なう突起５８ｄ等により構成されている。
【００３６】
すなわち、第２の筒状部材５８は、光軸方向Ｌの後方側からレンズＧ１，Ｇ２の挿入が行なえるようになっている。また、第２筒状部５８ｂ内にレンズＧ１、スペーサ５９、レンズＧ３が挿入された状態で、第２フランジ部５８ａの背面は、レンズＧ３の背面よりも若干後方に突出するように形成されている。
【００３７】
したがって、レンズＧ１，Ｇ２が第２筒状部５８ｂに挿入された後、押え板５２´が第２フランジ部５８ａに重なるように押し付けられると、環状凸部５２ｂ´が第２筒状部５８ｂ内に若干入り込んで、弾性的に若干変形しつつ、あるいは、弾性変形はしないもののレンズＧ２を押し付けるようになっている。
【００３８】
これにより、レンズＧ３〜Ｇ５は単に第２筒状部５８ｂの内部から脱落しないよに規制されるだけではなく、保持部材として機能する押え板５２´の環状凸部５２ｂ´の弾性力により、レンズＧ１，Ｇ２は常時押圧されるため、外部からの衝撃等に対しても光軸のずれを防止できる。
また、この実施形態においては、押え板５２´が保持部材の機能を兼ねるため、従来のような固定リングが不要になり、部品点数を削減できる。
【００３９】
次に、上記レンズ保持部材５０´´の組み付け手順について説明する。先ず、筒状部材５３´の筒状部５３ｂに対して、レンズＧ５、スペーサ５５、レンズＧ４、レンズＧ３が順次に挿入され、その後、レンズシャッタ機構４０が組み込まれた地板５１´がフランジ部５３ａ´に重ね合わせられて、両者の外周部が仮止めされる。
【００４０】
続いて、第２の筒状部材５８の第２筒状部５８ｂに対して、レンズＧ１、スペーサ５９、レンズＧ２が順次に挿入され、その後、押え板５２´がフランジ部５８ａに重ね合わせられて、両者の外周部が仮止めされる。
【００４１】
その後、仮止めされた地板５１´及び筒状部材５３´と押え板５２´及び第２の筒状部材５８とが、光軸を一致させるように組み合わされて、第２の筒状部材５８（第２フランジ部５８ａ）、押え板５２´、地板５１´、筒状部材５３´（フランジ部５３ａ´）がネジ５７により一体的に結合され、その後、二つの仮止めが外される。
このように、第２の筒状部材５８、押え板５２´、地板５１´、筒状部材５３´が共通のネジ５７により締結されるため、相互に締結する場合に比べて締結部品を減じることができる。また、この時点で、レンズＧ１〜Ｇ５までのうちで光軸のずれが確認された場合は、ネジ５７を取り外して再度組み直すことができる。
【００４２】
上記実施形態においては、レンズ保持部材５０，５０´，５０´´にレンズシャッタ機構４０が組み込まれた場合について示したが、レンズシャッタ機構４０が組み込まれていない場合において、本発明の保持部材５４を適用することは勿論可能である。
また、上記実施形態においては、レンズを保持する筒状部材として、レンズＧ１，Ｇ２を保持する筒状部材と、レンズＧ３，Ｇ４，Ｇ５を保持する筒状部材との二つを備える場合について示したが、光軸方向Ｌの前方側からレンズＧ１，Ｇ２，Ｇ３，Ｇ４，Ｇ５が挿入される一つの筒状部材に対して、本発明の保持部材を採用することもできる。
【００４３】
また、図１ないし図５に示す実施形態においては、レンズを押圧して保持する保持部材として、中央部に開口部５４ａを有し円板形状に形成された保持部材５４を示したが、開口部５４ａから放射状に伸びる複数のスリットを形成し、スリット以外の残りの部分（すなわち、弾性変形可能な複数の片持ち梁状の羽根）により、レンズＧ３を押圧するような構成を採用してもよい。
さらに、保持部材５４は、筒状部材５３の前面にネジ５６を用いて固定される手法を示したが、ネジ５６を用いず、フランジ部５３ａと地板５１とで挟持して固定されるように形成してもよい。
【００４４】
【発明の効果】
以上述べたように、本発明のレンズ駆動装置によれば、ガイド部材により光軸方向に往復動自在に案内されかつレンズを保持するレンズ保持部材において、光軸方向の前方側からレンズの挿入を許容する筒状部材と、筒状部材に挿入されたレンズを押圧して保持するべく着脱自在に配置された保持部材とを設けたことにより、簡略な構造にてスペース的な制約を満足し、かつ、部品の破損を招くことなく、容易にレンズの組み直しを行なうことができる。
また、レンズ保持部材が前方板及び後方板を含むレンズシャッタ機構を備える場合において、レンズを保持する保持部材として後方板あるいは前方板を兼用することにより、部品点数の削減等が行なえ、低コスト化が行なえる。
また、筒状部材、前方板、後方板等を着脱自在な共通の締結手段により結合することにより、隣接するもの同士をそれぞれ結合する場合に比べて、締結手段の個数を減じることができる。
さらに、保持部材を弾性的に変形可能に形成することにより、レンズには常に弾性力による押圧力が作用するため、外部からの衝撃等に対してもずれることなく確実に保持される。
【図面の簡単な説明】
【図１】本発明に係るレンズ駆動装置の一実施形態を示す概略断面図である。
【図２】図１に示すレンズ駆動装置のレンズ保持部材に保持されるレンズシャッタ機構を示す平面図である。
【図３】図１に示すレンズ駆動装置の詳細を示す断面図である。
【図４】図１に示すレンズ駆動装置のレンズ保持部材に含まれる保持部材を示す平面図である。
【図５】保持部材とレンズとの取り付け状態の詳細を示す拡大断面図であり、（ａ）は取り付け手法の一実施形態を示す断面図、（ｂ）は取り付け手法の他の実施形態を示す断面図である。
【図６】本発明に係るレンズ駆動装置の他の実施形態を示す断面図である。
【図７】本発明に係るレンズ駆動装置のさらに他の実施形態を示す断面図である。
【図８】従来のレンズ駆動装置を示す断面図である。
【符号の説明】
Ｇ１，Ｇ２，Ｇ３，Ｇ４，Ｇ５  レンズ
Ｌ  光軸方向
１０  ベース
２０  カムリング
３０  ガイド軸
４０  シャッタ機構
５０，５０´，５０´´  レンズ保持部材
５１，５１´  地板（後方板）
５１ｂ´  地板の環状凸部（保持部材）
５２，５２´  押え板（前方板）
５２ｂ  筒状部
５２ｂ´  押え板の環状凸部（保持部材）
５２ｃ，５５，５９  スペーサ
５２ｄ  固定リング
５３，５３´  筒状部材
５３ａ，５３ａ´  フランジ部
５３ｂ  筒状部
５４  保持部材
５４ａ  開口部
５６  ネジ
５７  ネジ（締結手段）
５８  第２の筒状部材
５８ａ  第２フランジ部
５８ｂ  第２筒状部
５８ｃ  環状ストッパ
６０  圧縮バネ
７０  カバー
【図１】
0004796714.tif 000002
【図２】
0004796714.tif 000003
【図３】
0004796714.tif 000004
【図４】
0004796714.tif 000005
【図５】
0004796714.tif 000006
【図６】
0004796714.tif 000007
【図７】
0004796714.tif 000008
【図８】
0004796714.tif 000009